(57)【要約】【課題】一つの遠隔制御装置で浴槽への湯張りと浴室暖房の予約操作が簡単にできる浴室暖房機能付きの給湯付風呂釜を提供する。【解決手段】給湯付風呂釜用の遠隔制御装置の操作パネル１ａに、予め設定した時刻に浴槽に湯張りする予約スイッチ２９などに加えて暖房スイッチ２８を設け、運転スイッチ２１、予約スイッチ２９及び暖房スイッチ２８等の操作により、浴槽への湯張り予約と連動して浴室を暖房できるようにする。【選択図】  図２
2004198073.tif 000002
【特許請求の範囲】
【請求項１】
浴室の暖房機能を有する給湯付風呂釜と、この給湯付風呂釜を操作する遠隔制御装置を備え、上記遠隔制御装置には、浴槽に湯を張る湯張り機能と、浴室を暖房する暖房機能と、予め設定した時刻に浴槽に湯張りする予約機能と、この湯張り予約と連動して浴室を暖房する機能とを有する浴室暖房機能付きの給湯付風呂釜。
【発明の詳細な説明】
【０００１】
【発明の属する技術分野】
本発明は、主として家庭用の浴室暖房機能付きの給湯付風呂釜に関する。
【０００２】
【従来の技術】
浴室暖房機能を有した給湯付風呂釜では、浴槽への湯張り操作は、浴室又は台所の壁面に取付けられた風呂釜用遠隔制御装置により操作し、その予約操作も風呂釜用遠隔制御装置で行い、湯張り予約操作は、風呂釜用遠隔制御装置に時計機能を有しており、予め入浴したい時刻を設定し、その設定時刻になったら入浴できるといったものが一般的であり、一方、浴室の暖房操作は、前記の風呂釜用遠隔制御装置とは別の暖房端末機用遠隔制御装置を有し、暖房操作やその予約操作も暖房端末機用遠隔制御装置で行っており、また、暖房機能の予約操作においては、暖房端末機用遠隔制御装置において操作したときから何時間後かに動作するオンタイマーが一般的であって、このように風呂釜用と暖房端末機用との二つの遠隔制御装置を設けて、これをそれぞれ操作することで浴槽への湯張りや浴室の暖房を行うようにした浴室暖房機能付きの給湯装置が知られている（例えば、特許文献１参照）。
【０００３】
しかし、冬季などの外気温が低いときに、浴槽への湯張り予約と同時に浴室も暖房したい場合に、従来の技術で述べた給湯装置では、先ず風呂釜用遠隔制御装置にて浴槽への湯張り時刻を設定し、次に暖房端末機用遠隔制御装置で、現在時刻から入浴時刻までの時間を計算し暖房機能の動作時刻を算出した上で、オンタイマーを設定しなければならず、二つの遠隔制御装置の操作を必要とするとともに、暖房予約については動作させる時刻を使用者が計算して設定する必要があり、浴槽への湯張り予約と同時に浴室暖房を予約する場合の操作が煩雑となる問題を有していた。
【０００４】
【特許文献１】
特開平９−２６４５５４号公報（第３−６頁、図３）
【０００５】
【発明が解決しようとする課題】
本発明は、一つの遠隔制御装置で浴槽への湯張りと浴室暖房の予約操作を行うことができ、予約操作が簡単で便利な浴室暖房機能付きの給湯付風呂釜を提供しようとするものである。
【０００６】
【課題を解決するための手段】
本発明は、次のものに関する。
（１）浴室の暖房機能を有する給湯付風呂釜と、この給湯付風呂釜を操作する遠隔制御装置を備え、上記遠隔制御装置には、浴槽に湯を張る湯張り機能と、浴室を暖房する暖房機能と、予め設定した時刻に浴槽に湯張りする予約機能と、この湯張り予約と連動して浴室を暖房する機能とを有する浴室暖房機能付きの給湯付風呂釜。
【０００７】
【作用】
浴室の暖房を行うための操作部としての暖房スイッチが、風呂釜本体の運転スイッチ、湯張りスイッチなどを備える給湯付風呂釜用の遠隔制御装置に設けられ、使用者はこの一つの遠隔制御装置に備える浴槽への湯張り予約のスイッチ操作とともに暖房スイッチを操作することにより、湯張り予約と連動して浴室が暖房され、浴槽への湯張り完了と同時に浴室が暖められる。
【０００８】
【発明の実施の形態】
本発明において浴室の暖房機能を有する給湯付風呂釜は、浴槽への湯張りのための給湯用燃焼部及び追焚きのための追焚き用燃焼部を備える構造の給湯付風呂釜で、この給湯付風呂釜の風呂釜本体には、ファン、給湯バーナ（給湯用燃焼部）及び風呂バーナ（追焚き用燃焼部）、浴槽水を強制循環させる循環ポンプ、給湯用熱交換器及び追焚き用熱交換器等が設けられ、風呂釜本体に設置される配管接続部としての往き湯口及び戻り湯口と浴室に設置される浴槽の循環口とを往き管と戻り管ならなる循環路（循環配管）で接続して、風呂釜本体と浴槽との間を湯水が循環できるようにする。
浴室を暖房するための暖房端末機には、暖房用熱交換器及び送風機構等が内蔵され、この暖房端末機は主に浴室の天井部又は壁面部に設置される。
上記の循環路の途中には切替機構が設けられ、この切替機構により、循環湯水が浴槽へ行くか、もしくは暖房端末機へ行くかを切替える。
【０００９】
上記の風呂釜本体には制御装置が内蔵され、この制御装置には、浴室もしくは台所の壁面に取付けられた遠隔制御装置が接続されて、遠隔制御装置において浴槽への湯張りや暖房操作などをするものである。
遠隔制御装置の操作パネルについて実施例の図２を用いて説明すると、上部に給湯の温度表示と風呂の温度表示が表示され、その中央には現在時刻を表示する時計表示部２０を有する。この表示部の下段には、風呂釜本体の運転入／切を行う運転スイッチ２１と、浴槽への湯張り動作を行う湯張りスイッチ２２と、浴槽の追焚を行う追焚スイッチ２３と、浴室を暖房端末機で暖める暖房スイッチ２４が配置される。さらに、上記動作スイッチの下段には、給湯温度を設定する「上げる」「下げる」の給湯温度設定スイッチ２５と、風呂の追焚温度を設定する「上げる」「下げる」の追炊温度設定スイッチ２６と、現在時刻を設定する時計スイッチ２８と、湯張り予約時刻を設定する予約スイッチ２９などが設けられる。現在時刻の設定は、時計スイッチ２８を押下し時刻の「上げる」「下げる」の時刻設定スイッチ２７により希望の時刻に変更し設定する。また、湯張り時刻の設定は、予約スイッチ２９を押下し時刻の「上げる」「下げる」の時刻設定スイッチ２７により希望の時刻に変更し設定する。
【００１０】
浴槽への湯張り予約は予約時刻の数十分前から湯張り動作を開始し、湯張り完了後、追焚燃焼して風呂設定温度まで沸き上げる。湯張り開始時刻は給湯能力により流せる最大水量は変わるため、給湯能力により器具毎に設定される。例えば１６号の給湯能力の場合、設定時刻の３０分前から開始すれば予約時刻前には湯張りは完了する。また、浴室の暖房時間については平均的な浴室の場合、約１０分程度で快適な温度に浴室を暖めることができる。
浴槽への湯張り予約と浴室の暖房予約を連動させる場合、浴槽への湯張り開始時刻は浴室を暖める時間を考慮して、通常の湯張り予約開始時間より１０分前から開始させ、湯張り完了後の浴室の暖房動作を開始するため予約時刻には浴室も適温に暖められている。また、湯張り開始と同時に浴室の暖房を開始した場合においても予約時刻には暖かな浴室となり入浴可能となる。
【００１１】
【実施例】
以下、本発明による浴室暖房機能付き給湯付風呂釜の実施例を、図１及び図２を参照して具体的に説明する。
図１は本発明に係る浴室暖房機能付きの給湯付風呂釜の作動原理図、図２は給湯付風呂釜の遠隔制御装置の操作パネルの正面図である。
図１において、給湯付風呂釜２の本体内部には、浴槽１２への湯張りを行う給湯燃焼部６と、湯張り経路の開閉を行う開閉弁８と、浴槽１２の湯を循環させる循環ポンプ９と、循環ポンプ９により循環した湯を沸かし上げる風呂燃焼部７と、燃焼の開始／停止や開閉弁８の開／閉を制御する制御装置５が内蔵される。
上記の制御装置５は遠隔制御装置１に接続され、この遠隔制御装置１での操作により制御装置５は湯張り動作や追焚動作などを行う。また、制御装置５により切替機構４は制御され、湯張り又は追焚動作時は浴槽１２側に配管経路を切替え、暖房動作時は暖房端末機３側に配管経路を切替える。
湯張り動作は、先ず切替機構４により配管経路を浴槽１２側へ切替え、開閉弁８を開弁し、給湯燃焼部６で加熱して浴槽１２に湯を張る。設定湯量完了時、循環ポンプ９を駆動して浴槽水を循環させ、風呂燃焼部７で加温し設定温度まで沸き上げる。
次に、暖房動作は、切替機構４により配管経路を暖房端末機３側に切替え、循環ポンプ９を駆動して暖房用熱交換器１１の水を循環させ、風呂燃焼部７で加温し、約７０℃以上の高温の湯となった場合、暖房用送風機１０を駆動し温風を浴室内に送り込む。
【００１２】
次に、図２に示す給湯付風呂釜２の遠隔制御装置１での操作について説明すると、浴槽への湯張り予約の操作は、先ず、図１に示した給湯付風呂釜２の運転入／切を行う運転スイッチ２１を押下し、次に予約スイッチ２９を押下し、時刻設定の「あげる」「さげる」の時刻設定スイッチ２７により入浴したい時刻を設定する。設定が完了したら再度予約スイッチ２９を押下して予約が完了する。
【００１３】
次に、浴槽への湯張りと浴室の暖房の連動予約方法を説明すると、運転スイッチ２１を押下し、次に予約スイッチ２９を押下し、時刻設定の「あげる」「さげる」の時刻設定スイッチ２７により入浴したい時刻を設定し、暖房スイッチ２４を押下して、再度予約スイッチ２９を押下して予約が完了する。浴槽の湯張りのみの予約の場合は設定時刻の３０分前から湯張りを開始し、湯張りと浴室暖房の連動予約の場合は設定時刻の４５分前から湯張りを開始し、沸き上げ完了後、暖房運転を開始する。
【００１４】
【発明の効果】
以上説明したように、本発明による浴室暖房機能付きの給湯付風呂釜の遠隔制御装置は、浴槽への湯張り予約と連動して浴室を暖房する機能を有するため、一つの遠隔制御装置で浴槽への湯張りと浴室暖房の予約操作が簡単にでき、湯張り完了と同時に浴室が暖められ冬季でも快適に入浴できる。
【図面の簡単な説明】
【図１】本発明に係る浴室暖房機能付きの給湯付風呂釜の作動原理図である。
【図２】図１に示した給湯付風呂釜の遠隔制御装置における操作パネルの正面図である。
【符号の説明】
１  遠隔制御装置                  １ａ  遠隔制御装置の操作パネル
２  給湯付風呂釜                    ３  暖房端末機
４  切替機構                        ５  制御装置
６  給湯燃焼部                      ７  風呂燃焼部
８  開閉弁                          ９  循環ポンプ
１０  暖房用送風機                  １１  暖房用熱交換器
１２  浴槽                          ２０  時計表示部
２１  運転スイッチ                  ２２  湯張りスイッチ
２３  追炊スイッチ                  ２４  暖房スイッチ
２５  給湯温度設定スイッチ          ２６  追炊温度設定スイッチ
２７  時刻設定スイッチ              ２８  時計スイッチ
２９  予約スイッチ
【図１】
2004198073.tif 000003
【図２】
2004198073.tif 000004